(57)【要約】【課題】  天レールと地レールとの間に、所定間隔で支柱を立設し、隣接する支柱の表裏両面にそれぞれパネル板の両側端縁を支持し、パネル板の両側に目地部を備えた構造の間仕切装置において、独立終端部、コーナー部及び壁面連設部における構造を簡単化し、部品点数を少なくし、施工工数を減らしてコスト低減化に寄与する間仕切装置を提供する。【解決手段】  独立終端部、コーナー部及び壁面連設部に用いる部材に支柱機能を一体的に備えさせ、支柱を用いない。独立終端部、コーナー部に用いる第１端部部材７は、パネル板４の表面と面一の外面となる外形が四角形の化粧部１７と、該化粧部よりも狭い幅の支柱部１８を一体的に設けた。壁面連設部に用いる第２端部部材は、壁面に上下方向に取付けた壁面レールに嵌合する連設部と、該連設部よりも狭い幅の支柱部を一体的に設けた。【選択図】        図７
2018071327.tif 000002
【特許請求の範囲】
【請求項１】
天レールと地レールとの間に、所定間隔で支柱を立設し、隣接する支柱の表裏両面にそれぞれパネル板の両側端縁を支持し、パネル板の両側に目地部を備えた構造で、少なくとも独立終端部、コーナー部及び壁面連設部の何れかを有する間仕切装置において、独立終端部、コーナー部及び壁面連設部に用いる部材に支柱機能を一体的に備えさせ、支柱を用いないことを特徴とする間仕切装置。
【請求項２】
前記独立終端部、コーナー部に用いる第１端部部材は、前記パネル板の表面と面一の外面となる外形が四角形の化粧部と、該化粧部よりも狭い幅の支柱部を一体的に設けたものであり、該支柱部に前記パネル板を支持する支持部材を取付けてなる請求項１記載の間仕切装置。
【請求項３】
前記第１端部部材の化粧部は、表裏パネル板の表面間隔に一致する外面板と、該外面板の両端縁から直角に延びた両側面板と、両側面板の端縁から互いに接近する方向に直角に延びた折曲板とで形成した断面略Ｃ字形の四角形状であり、前記支柱部は、前記化粧部の両折曲板の端縁から側方へ直角に突出して延び、前記支柱の表裏両面に対応する側板を少なくとも有する請求項２記載の間仕切装置。
【請求項４】
前記第１端部部材の支柱部は、前記両側板の端縁から互いに接近する方向に直角に延びた内面板を有する請求項３記載の間仕切装置。
【請求項５】
前記壁面連設部に用いる第２端部部材は、壁面に上下方向に取付けた壁面レールに嵌合する連設部と、該連設部よりも狭い幅の支柱部を一体的に設けたものであり、該支柱部に前記パネル板を支持する支持部材を取付けてなる請求項１記載の間仕切装置。
【請求項６】
前記第２端部部材の支柱部は、前記支柱の前後幅と同一の幅を有する内面板と、該内面板の両端縁から直角に延び、前記支柱の表裏両面に対応する側板を有し、前記連設部は、前記支柱の両側板の端縁から外側へ直角に延びた折曲板と、該折曲板の端縁から直角に延び、前記壁面レールを外嵌する接合板を有する請求項５記載の間仕切装置。
【請求項７】
前記第１端部部材及び第２端部部材の支柱部の下端部にアジャスターを取付けてなる請求項２〜６何れか１項に記載の間仕切装置。
【発明の詳細な説明】
【技術分野】
【０００１】
本発明は、間仕切装置に係わり、更に詳しくは支柱を介してパネル板を支持する構造の間仕切装置に関するものである。
【背景技術】
【０００２】
従来から、天井に固定した天レールと床面に敷設した地レールとの間に、所定間隔で支柱を立設し、隣接する支柱の表裏両面にそれぞれパネル板の両側端縁を、係止具を用いて係止し、あるいは目地部材を用いて固定し、パネル板の両側に目地部を備えた構造の間仕切装置は各種提供されている（特許文献１，２，３参照）。また、間仕切装置には室内空間の区画態様に応じて、コーナー部、壁面連設部、独立終端部などが存在する。
【０００３】
特許文献１の間仕切装置は、目地部材を用いてパネル板の側端縁を支柱の表裏両面に取付ける構造のであり、特許文献２の間仕切装置は、支柱に設けた係止具を介してパネル板の側端縁を支柱の表裏両面に係止する構造であるが、何れも独立終端部及びコーナー部にパネル板間に配置した前記支柱と同じ支柱が端部に存在し、該支柱の外側面を端部カバーで覆った構造となっている。ここで、独立終端部は、室内の内部でどこにも接触することなく終端している部分であり、端部に位置する支柱の外側面を端部カバーで覆った構造となっている。尚、Ｌ字状コーナー部は、パネル板と端部カバーの間に有する目地部を利用して直交する方向に、パネル板の側端縁を取付ける機能を有する連結支柱を前記支柱に連結する構造である。Ｔ字状コーナー部は、Ｌ字状コーナー部を対称に設けた連結構造の場合にはコーナー部に位置する支柱に端部カバーを装着している。
【０００４】
また、特許文献３には、間仕切装置で構成する区画壁の終端部と建物壁面との連結部の構造（壁面連設部）が開示され、壁面に取付ける端部支柱に、パネル板間に設ける支柱と略同じ構造の支柱部が設けられた構造である。特許文献４には、壁面に室内側へ開放した凹溝を有する壁面レール（端部調整部材）が取付けられ、支柱の表裏両面にパネル板を取付けた状態の終端部の部分が、壁面レールの凹溝内に受け入れた状態で連設した構造が開示されている。尚、一般的には、端部に位置する支柱の外側面に断面略コ字形の壁面カバーを取付け、該壁面カバーを前記壁面レールに外嵌し、寸法誤差や施工誤差を吸収する構造の壁面連設部となっている。
【０００５】
このように、従来の独立終端部、コーナー部、壁面連設部には、パネル板の直線状連設部に用いる支柱と同一若しくは略同一形状の支柱を設け、コーナー部や端部に位置する支柱に、端部カバーを取付け、また壁面レールに隙間なく連設するための壁面カバー等の連設部材を取付けていたので、部品点数が増え、施工工数が多くなり、コスト高となっていた。
【先行技術文献】
【特許文献】
【０００６】
【特許文献１】特開２００５−１５５２７５号公報（図５、図１４参照）
【特許文献２】特開２０１５−０９４１０９号公報（図１６、図１７、図２０参照）
【特許文献３】特開２００４−１２４４８０号公報（図７参照）
【特許文献４】特開平８−１００４７４号公報（図６、図７参照）
【発明の概要】
【発明が解決しようとする課題】
【０００７】
そこで、本発明が前述の状況に鑑み、解決しようとするところは、天レールと地レールとの間に、所定間隔で支柱を立設し、隣接する支柱の表裏両面にそれぞれパネル板の両側端縁を支持し、パネル板の両側に目地部を備えた構造の間仕切装置において、独立終端部、コーナー部及び壁面連設部における構造を簡単化し、部品点数を少なくし、施工工数を減らしてコスト低減化に寄与する間仕切装置を提供する点にある。
【課題を解決するための手段】
【０００８】
本発明は、前述の課題解決のために、以下に構成する間仕切装置を提供する。
【０００９】
（１）
天レールと地レールとの間に、所定間隔で支柱を立設し、隣接する支柱の表裏両面にそれぞれパネル板の両側端縁を支持し、パネル板の両側に目地部を備えた構造で、少なくとも独立終端部、コーナー部及び壁面連設部の何れかを有する間仕切装置において、独立終端部、コーナー部及び壁面連設部に用いる部材に支柱機能を一体的に備えさせ、支柱を用いないことを特徴とする間仕切装置。
【００１０】
（２）
前記独立終端部、コーナー部に用いる第１端部部材は、前記パネル板の表面と面一の外面となる外形が四角形の化粧部と、該化粧部よりも狭い幅の支柱部を一体的に設けたものであり、該支柱部に前記パネル板を支持する支持部材を取付けてなる（１）記載の間仕切装置。
【００１１】
（３）
前記第１端部部材の化粧部は、表裏パネル板の表面間隔に一致する外面板と、該外面板の両端縁から直角に延びた両側面板と、両側面板の端縁から互いに接近する方向に直角に延びた折曲板とで形成した断面略Ｃ字形の四角形状であり、前記支柱部は、前記化粧部の両折曲板の端縁から側方へ直角に突出して延び、前記支柱の表裏両面に対応する側板を少なくとも有する（２）記載の間仕切装置。
【００１２】
（４）
前記第１端部部材の支柱部は、前記両側板の端縁から互いに接近する方向に直角に延びた内面板を有する（３）記載の間仕切装置。
【００１３】
（５）
前記壁面連設部に用いる第２端部部材は、壁面に上下方向に取付けた壁面レールに嵌合する連設部と、該連設部よりも狭い幅の支柱部を一体的に設けたものであり、該支柱部に前記パネル板を支持する支持部材を取付けてなる（１）記載の間仕切装置。
【００１４】
（６）
前記第２端部部材の支柱部は、前記支柱の前後幅と同一の幅を有する内面板と、該内面板の両端縁から直角に延び、前記支柱の表裏両面に対応する側板を有し、前記連設部は、前記支柱の両側板の端縁から外側へ直角に延びた折曲板と、該折曲板の端縁から直角に延び、前記壁面レールを外嵌する接合板を有する（５）記載の間仕切装置。
【００１５】
（７）
前記第１端部部材及び第２端部部材の支柱部の下端部にアジャスターを取付けてなる（２）〜（６）何れか１に記載の間仕切装置。
【発明の効果】
【００１６】
以上にしてなる本発明の間仕切装置は、以下に示す効果を奏する。
【００１７】
（１）の構成によれば、天レールと地レールとの間に、所定間隔で支柱を立設し、隣接する支柱の表裏両面にそれぞれパネル板の両側端縁を支持し、パネル板の両側に目地部を備えた構造で、少なくとも独立終端部、コーナー部及び壁面連設部の何れかを有する間仕切装置において、独立終端部、コーナー部及び壁面連設部に用いる部材に支柱機能を一体的に備えさせ、支柱を用いないので、独立終端部、コーナー部及び壁面連設部における構造を簡単化し、部品点数を少なくすることができ、それにより施工工数を減らしてコスト低減化に寄与するものである。
【００１８】
（２）の構成によれば、第１端部部材の支柱部に取付けた支持部材にパネル板を支持して独立終端部を構成すれば、化粧部がパネル板の表面と面一の外面となる外形が四角形であるので、従来のものと全く外観を同じくして支柱を省略することができ、更にパネル板と化粧部の間の目地部に臨む第１端部部材の支柱部に、従来と同様に直交する方向に連結部材を用いてパネルをＬ字状又はＴ字状に連結してコーナー部を構成すれば、従来のものと全く外観を同じくして支柱を省略することができる。
【００１９】
（３）の構成によれば、化粧部と支柱部を一体的に設けた第１端部部材を板金により作製することができ、小ロットの生産にも対応できる。
【００２０】
（４）の構成によれば、第１端部部材の支柱部に内面板を有するので、該支柱部を従来の支柱と同様に使用することができ、例えばパネル板を係止するフックを備えた支持部材を内面板にネジ止めして設けることができる。
【００２１】
（５）の構成によれば、第２端部部材の連設部を壁面に上下方向に取付けた壁面レールに嵌合した状態で、支柱部に取付けた支持部材にパネル板を支持して壁面連設部を構成することができ、従来のものと全く外観を同じくして支柱を省略することができる。
【００２２】
（６）の構成によれば、支柱部と連設部を一体的に設けた第２端部部材を板金により作製することができ、小ロットの生産にも対応できる。
【００２３】
（７）の構成によれば、床面に不陸があっても第１端部部材又は第２端部部材の高さを調節してパネル板を水平に支持することができる。
【図面の簡単な説明】
【００２４】
【図１】本発明に係る間仕切装置を一部破断して示した斜視図である。
【図２】同じく縦断面図である。
【図３】同じく横断面図である。
【図４】独立終端部の構造を示す部分横断面図である。
【図５】独立終端部に用いる第１端部部材の構造を示す部分斜視図である。
【図６】第１端部部材にパネル板を支持する構造を示す部分斜視図である。
【図７】コーナー部の構造を示す部分横断面図である。
【図８】コーナー部に用いる第１端部部材を用いてＬ字状に連結する構造を示す部分横断面図である。
【図９】壁面連設部の構造を示す部分横断面図である。
【図１０】壁面連設部に用いる第２端部部材の構造を示す部分斜視図である。
【図１１】第２端部部材を用いて壁面に連設する構造を示す部分斜視図である。
【図１２】第１端部部材の他の実施形態を示し、（ａ）は第１端部部材の第２実施形態の横断面図、（ｂ）は第１端部部材の第３実施形態の横断面図である。
【図１３】第２端部部材の他の実施形態を示す部分横断面図である。
【発明を実施するための形態】
【００２５】
次に、添付図面に示した実施形態に基づき、本発明を更に詳細に説明する。図１〜図３は本発明に係る間仕切装置の基本構造を示し、図４〜図６は独立終端部の構造を示し、図７及び図８はコーナー部の構造を示し、図９〜図１１は壁面連設部の構造を示し、図中符号１は天レール、２は地レール、３は支柱、４はパネル板、５は支持部材、６は目地部、７は第１端部部材、８は第２端部部材、９は壁面レールをそれぞれ示している。尚、図中符号Ｓは天井、Ｆは床面、Ｗは壁面をそれぞれ示している。
【００２６】
先ず、本発明の間仕切装置は、図１〜図に示すように、天井Ｓの固定した天レール１と床面Ｆに敷設した地レール２との間に、所定間隔で支柱３，…を立設し、隣接する支柱３，３の表裏両面にそれぞれパネル板４，４の両側端縁を前記支柱３に取付けた支持部材５，…にて支持し、パネル板４の両側に目地部６を備えた構造で、少なくとも独立終端部、コーナー部及び壁面連設部の何れかを有する間仕切装置において、独立終端部、コーナー部及び壁面連設部に用いる部材に支柱機能を一体的に備えさせ、支柱３を用いないことを特徴としている。
【００２７】
そして、前記独立終端部及びコーナー部は、前記支柱３と同様な支柱機能を一体的に備えた第１端部部材７を用いて構成し、前記壁面連設部は、前記第２端部部材８と壁面Ｗに上下方向に固定した壁面レール９とで構成する。前記第１端部部材７と第２端部部材８は、板金で作製しているが、アルミ押出し型材から作製しても良い。
【００２８】
本発明において、独立終端部とは、間仕切装置で構成する区画壁が建物室内で自由端となっている部分のこと、コーナー部とは、間仕切装置で構成する区画壁が平面視Ｌ字状、Ｔ字状に屈曲している部分のこと、壁面連設部とは、間仕切装置で構成する区画壁の終端部と建物壁面との連結部のことである。尚、間仕切装置の態様によっては、独立終端部と壁面連設部の少なくとも一方は必ず存在するが、コーナー部は存在しない場合もある。
【００２９】
先ず、本発明の間仕切装置の基本構造を図１〜図３を用いて簡単に説明する。前記天レール１は、下向き開放した凹溝を有する断面略コ字形の長尺部材であり、前記地レール２は、上向き開放した凹溝を有する断面略コ字形の長尺部材である。対向させて設けた前記天レール１と地レール２の間に、下端にアジャスター１０を装着した前記支柱３を、一定間隔を隔てて立設する。この際、隣接する支柱３，３間には、横桟１１やパネル受部材１２を設けて、支柱３，３の間隔を正確に規定する。そして、前記支柱３の両側面板１３，１３には、両端に上向きフック１４，１４を設けた前記支持部材５を上下複数個所にネジ止めし、前記支柱３の表裏両面より突出した前記上向きフック１４，１４に、前記パネル板４の裏面側の両側縁に設けた係止孔１５を前記上向きフック１４に係止し、前記支柱３の表裏両面にパネル板４の縁部を支持する。このように、前記支柱３を介してパネル板４を直線状に連設して行くのである。
【００３０】
前記支柱３の下端部に装着したアジャスター１０は、前記地レール２の凹溝内に設置し、該支柱３の上端部に装着した天固定金具１６で前記天レール１の凹溝内に固定する。そして、前記支柱３の表裏両面に支持した前記パネル板４，４の上下部が、前記天レール１と地レール２の外側面に重なった状態となる。
【００３１】
次に、本発明の詳細を図４〜図１１に基づいて説明する。前記独立終端部、コーナー部に用いる第１端部部材７は、前記パネル板４の表面と面一の外面となる外形が四角形の化粧部１７と、該化粧部１７よりも狭い幅の支柱部１８を一体的に設けたものであり、該支柱部１８に前記パネル板４を支持する支持部材５を取付けるようになっている。尚、外観性を問題にしなければ、前記化粧部１７と支柱部１８の横幅は同じであっても構わない。
【００３２】
更に詳しくは、前記第１端部部材７の化粧部１７は、図４〜図６に示すように、表裏パネル板４，４の表面間隔に一致する外面板１９と、該外面板１９の両端縁から直角に延びた両側面板２０，２０と、両側面板２０，２０の端縁から互いに接近する方向に直角に延びた折曲板２１，２１とで形成した断面略Ｃ字形の四角形状であり、前記支柱部１８は、前記化粧部１７の両折曲板２１，２１の端縁から側方へ直角に突出して延び、前記支柱３の表裏両面に対応する側板２２，２２を少なくとも有する。更に、本実施形態では、前記第１端部部材７の支柱部１８は、前記両側板２２，２２の端縁から互いに接近する方向に直角に延びた内面板２３，２３を有する。
【００３３】
前記第１端部部材７の下端部には、図５に示すように、前記支柱部１８の内部に前記アジャスター１０の上部を嵌挿し、前記内面板２３，２３にネジ２４で固定する。また、前記第１端部部材７の上下中間部には、図６に示すように、前記内面板２３，２３の外側に前記支持部材５をネジ２５で固定する。そして、前記第１端部部材７に取付けた前記支持部材５の上向きフック１４に前記パネル板４の係止孔１５を係止して支持すると、該パネル板４の端縁と前記化粧部１７の間に目地部６が形成される。この状態で、前記第１端部部材７の化粧部１７が従来の支柱の端部カバーと同じ機能を有し、独立終端部を構成する。
【００３４】
前記コーナー部は、図７及び図８に示すように、前記第１端部部材７を用いて構成する。先ず、独立終端部と同様に、直線状に連結したパネルの終端に前記第１端部部材７を有する状態で、前記パネル板４と化粧部１７との間に有する目地部６のうち一方の目地部６に臨む前記支柱部１８に、断面略Ｃ字形の四角形状の連結部材２６をネジ２７で固定し、該連結部材２６の側面に前記支持部材５をネジ２８で固定し、該支持部材５の上向きフック１４に前記パネル板４の係止孔１５を係止して支持すると、Ｌ字状に連結されたコーナー部を構成する。この場合も、前記第１端部部材７の化粧部１７と新たに連結したパネル板４の間にも目地部６が形成され、前記化粧部１７が従来の支柱のコーナーカバーと同じ機能を有する。
【００３５】
また、前記壁面連設部に用いる第２端部部材８は、図９〜図１１に示すように、壁面Ｗに上下方向に取付けた壁面レール９に嵌合する連設部２９と、該連設部２９よりも狭い幅の支柱部３０を一体的に設けたものであり、該支柱部３０に前記パネル板４を支持する支持部材５を取付けるようになっている。尚、外観性を問題にしなければ、前記連設部２９と支柱部３０の横幅は同じであっても構わない。
【００３６】
更に詳しくは、前記第２端部部材８の支柱部３０は、前記支柱３の前後幅と同一の幅を有する内面板３１と、該内面板３１の両端縁から直角に延び、前記支柱３の表裏両面に対応する側板３２，３２を有し、前記連設部２９は、前記支柱部３０の両側板３２，３２の端縁から外側へ直角に延びた折曲板３３，３３と、該折曲板３３，３３の端縁から直角に延び、前記壁面レール９を外嵌する接合板３４，３４を有する。
【００３７】
前記第２端部部材８の支柱部３０の下端部には、図１０に示すように、前記アジャスター１０を内部に配置し、前記内面板３１にネジ２４で固定し、該アジャスター１０を前記地レール２の凹溝内に配置する。
【００３８】
前記壁面レール９は、図９及び図１１に示すように、断面略コ字形の長尺部材であり、凹溝部を室内側に向けた状態で前記壁面Ｗに上下方向に沿わせてネジ３５で固定している。そして、前記第２端部部材８の連設部２９を構成する両接合板３４，３４の間に前記壁面レール９を受け入れて嵌合する。また、前記同様に、前記第２端部部材８の支柱部３０を構成する内面板３１に前記支持部材５をネジ２５で固定し、該支持部材５の上向きフック１４に前記パネル板４の係止孔１５を係止して支持する。
【００３９】
尚、前記第１端部部材７の支柱部１８と前記第２端部部材８の支柱部３０の下端部は、図５及び図１０に示すように、切欠部３６を形成してあり、該切欠部３６に前記地レール２の上部を受け入れることができるようになっている。
【００４０】
また、前記第１端部部材７は、図１２に示すような形状でも良い。図１２（ａ）に示す第２実施形態の第１端部部材７Ａは、連続したパイプ状であり、前述の内面板２３，２３が連続した一枚の内面板２３となったものであり、図１２（ｂ）に示す第３実施形態の第１端部部材７Ｂは、前述の内面板２３，２３が省略されたものである。
【００４１】
そして、前記第２端部部材８は、図１３に示すような形状でも良い。図１３に示す第２実施形態の第２端部部材８Ａは、前記接合板３４，３４の端縁が連結板３７で連続する代わりに、前記内面板３１が中央で切断された形状であり、前記第１端部部材７の形状と類似のものである。この場合、第２端部部材８Ａの連設部２９は、前記壁面レール９の凹溝部３８の内部に嵌挿される。
【符号の説明】
【００４２】
Ｆ  床面、              Ｓ  天井、
Ｗ  壁面、
１  天レール、          ２  地レール、
３  支柱、              ４  パネル板、
５  支持部材、          ６  目地部、
７  第１端部部材、      ７Ａ  第１端部部材、
７Ｂ  第１端部部材、    ８  第２端部部材、
８Ａ  第２端部部材、    ９  壁面レール、
１０  アジャスター、    １１  横桟、
１２  パネル受部材、    １３  側面板、
１４  上向きフック、    １５  係止孔、
１６  天固定金具、      １７  化粧部、
１８  支柱部、          １９  外面板、
２０  側面板、          ２１  折曲板、
２２  側板、            ２３  内面板、
２４  ネジ、            ２５  ネジ、
２６  連結部材、        ２７  ネジ、
２８  ネジ、            ２９  連設部、
３０  支柱部、          ３１  内面板、
３２  側板、            ３３  折曲板、
３４  接合板、          ３５  ネジ、
３６  切欠部、          ３７  連結板、
３８  凹溝部。
【図１】
2018071327.tif 000003
【図２】
2018071327.tif 000004
【図３】
2018071327.tif 000005
【図４】
2018071327.tif 000006
【図５】
2018071327.tif 000007
【図６】
2018071327.tif 000008
【図７】
2018071327.tif 000009
【図８】
2018071327.tif 000010
【図９】
2018071327.tif 000011
【図１０】
2018071327.tif 000012
【図１１】
2018071327.tif 000013
【図１２】
2018071327.tif 000014
【図１３】
2018071327.tif 000015